(57)【要約】      （修正有）【課題】フィンをなくすことにより、それが邪魔になったりサーファーを負傷させたりするおそれがなくなり、しかも、フィン付きのものと同等のサーフライディングを楽しむことができるサーフボードを提供する。【解決手段】樹脂発泡体製ボード本体１の裏面全体に、グラスファイバーその他の強化材２を挟んで、外周縁にエッジ４が形成された軽量木材又は低発泡樹脂板製のボトム材３を固着して成り、フィンを用いない。本サーフボードは、好ましくは平面視において紡錘形を呈するものとされ、また、テールが若干外方に拡開するスワロー型のものとされる。【選択図】図３
2011037292.tif 000002
【特許請求の範囲】
【請求項１】
樹脂発泡体製ボード本体の裏面全体に、グラスファイバーその他の強化材を挟んで、外周縁にエッジが形成された軽量木材又は低発泡樹脂板製のボトム材を固着して成る、フィンを用いないサーフボード。
【請求項２】
前記ボード本体の表面側に、木、硬質プラスチックボード等の表面強化層を配して耐圧強度及びフレックス強度を増加させた、請求項１に記載のフィンを用いないサーフボード。
【請求項３】
平面視において紡錘形を呈する、請求項１又は２に記載のフィンを用いないサーフボード。
【請求項４】
テールを若干外方に拡開するスワロー型とした、請求項１乃至３のいずれかに記載のフィンを用いないサーフボード。
【請求項５】
ノーズロッカーを形成した、請求項１乃至４のいずれかに記載のフィンを用いないサーフボード。
【請求項６】
センターロッカー及びテールロッカーを形成した、請求項１乃至５のいずれかに記載のフィンを用いないサーフボード。
【請求項７】
キャンバーを設けた、請求項１乃至６のいずれかに記載のフィンを用いないサーフボード。
【発明の詳細な説明】
【技術分野】
【０００１】
本発明は、フィンを用いないサーフボード、より詳細には、サーフィンやウインドサーフィンを行なうためのサーフボードであって、テールにフィンを備えることなく、フィン付きのサーフボードと同等のサーフライディングを楽しむことができる、フィンを用いないサーフボードに関するものである。
【背景技術】
【０００２】
一般にサーフボードは、ノーズが尖った滴形状のボード本体と、そのボトム（裏側）のテールに１枚又は複数枚設置されるフィンとで構成される（１枚フィンは回転性が良くないため、３枚フィンとされることが多い。）。フィンは舵の役割、即ち、ボードの進行方向に対する安定性を確保すると共に、方向転換の際の起点として機能するものであり、ボトムのテールに固着されるタイプ（オンフィン）と、脱着交換可能なタイプ（ＦＣＳフィン等）とがある。
【０００３】
フィンはボードのパフォーマンスに直接影響を与えるものであり、フィンを変更しただけで全く別のボードの感覚になり得るところから、最近では取り外し可能なタイプが主流となってきており、その交換用として、形状、高さ、幅、材質、角度等が異なる多種多様のフィンが供給されている。
【０００４】
しかし、上記固着タイプと脱着交換可能タイプのいずれにおいても、フィンはテール面から垂直に十数ｃｍ突出することになるので、脇に抱えて持ち運んだりする際に邪魔となり、また、ワイプアウトした際や何らかの理由でサーファーの身体がボードから離れた際に、そのボードのフィンが当該サーファー、あるいは、近くを滑るサーファーに当たって負傷させるおそれがある。
【先行技術文献】
【特許文献】
【０００５】
【特許文献１】実用新案登録第３１２３３２０号公報
【特許文献２】実用新案登録第３１２２２０６号公報
【特許文献３】実用新案登録第３０５３６０８号公報
【発明の概要】
【発明が解決しようとする課題】
【０００６】
上述したように一般的なフィン付きサーフボードにおいては、フィンが、脇に抱えて持ち運んだりする際に邪魔となり、また、ワイプアウトした際や何らかの理由でサーファーの身体がボードから離れた際に、そのボードのフィンが当該サーファー、あるいは、近くを滑るサーファーに当たって負傷させるおそれがあった。
【０００７】
本発明は、かかる事情に鑑みてなされたもので、フィンをなくすことにより、それが邪魔になったりサーファーを負傷させたりするおそれがなくなり、しかも、フィン付きのものと同等のサーフライディングを楽しむことができるサーフボードを提供することを課題とする。
【課題を解決するための手段】
【０００８】
上記課題を解決するための請求項１に記載の発明は、樹脂発泡体製ボード本体の裏面全体に、グラスファイバーその他の強化材を挟んで、外周縁にエッジが形成された軽量木材又は低発泡樹脂板製のボトム材を固着して成る、フィンを用いないサーフボードである。好ましくは、ボード本体の表面側に、木、硬質プラスチックボード等の表面強化層を配して、ボード全体の耐圧強度及びフレックス強度を増加させるようにする。
【０００９】
本サーフボードは、好ましくは平面視において紡錘形を呈するものとされ、また、テールが若干外方に拡開するスワロー型のものとされる。また、本サーフボードは、少なくともノーズロッカーを有するものとされ、必要に応じて、センターロッカー及びテールロッカーを有するものとされ、更に、これら各ロッカーを設ける代わりに、あるいは、それらのロッカーのうちセンターロッカーに代えてキャンバーを有するものとされる。
【発明の効果】
【００１０】
本発明に係るサーフボードは上記のとおりのものであって、フィンがないために、持ち運びに際して邪魔になる突出物がなく、また、走行中にフィンがサーファー等を傷付けるおそれがないだけでなく、全体がフレックス性を有することと、ボトム材のエッジがフィンの機能を果たすこととにより、一般のフィン付きのものと同等のサーフライディングを楽しむことができる効果がある。
【図面の簡単な説明】
【００１１】
【図１】本発明に係るフィンを用いないサーフボードを示す平面図である。
【図２】本発明に係るフィンを用いないサーフボードを示す側面図である。
【図３】図２におけるＡ−Ａ線断面図である（部分的に誇張してある）。
【発明を実施するための形態】
【００１２】
本発明を実施するための形態について、図面に依拠して説明する。本発明に係るフィンを用いないサーフボードは、樹脂発泡体製ボード本体１の裏面全体に、グラスファイバー等の強化材を配した強化材層２（説明の便宜上、図３においては厚みを誇張して表現している。）を挟んで、外周縁にエッジ４が形成された、桐やバルサ等の軽量木材又は低発泡樹脂板製のボトム材３を固着して成るものである。
【００１３】
ボード本体１は、例えばポリオレフィン発泡体製で、その浮力により、上に乗るサーファーの体重が支えられる。一般のサーフボードの側面は、トップからボトムにかけて曲面をなすが、本サーフボードにおいては、ボード本体１の側面は、トップから続く部分のみが曲面で、下端部はエッジ（直角型）に形成され、その下面に、強化材層２を挟んで、ボード本体１よりも薄手のボトム材３が、接着等により固着される。
【００１４】
ボトム材３は、強化材層２と協働してボードの硬度を向上させ、また、後述するエッジ効果を向上させる。更にボトム材３は、強化材層２と協働して、ボード全体の適度な腰のあるフレックス性（しなり）を確保する。
【００１５】
また、一実施形態においては、ボード本体１の表面側に、木又は硬質プラスチックボード等から成る表面強化層９が配設される（表面に塗装が施される）。この表面強化層９は、ボード全体の耐圧強度を増すと共に、フレックス性を強化する機能を果たす。
【００１６】
ボード本体１は、好ましくは、図示したように平面視において紡錘形を呈するものとする。このような形状とすることにより、テール５側において浮力が減少してボードの沈み込みが起こって抵抗が増すために、進行方向を変えることが容易となる。また、ボード本体１のテール５は、若干外方に拡開するスワロー型とすることが好ましい。このようにすることにより、上記テール５側における浮力減少効果が増し、また、その部分のエッジ（レール）４がカーブしていることにより、進行方向の変更が容易となる。
【００１７】
ボード本体１には、一般のボードと同様に上向きの反り（ロッカー）が形成される。即ち、ノーズ側にノーズロッカー６が、また、中心部にノーズロッカー６に続くセンターロッカー７が、更に、テール５にテールロッカー８が形成される。各ロッカー６〜８の角度はサーフボードの重要な要素の一つと考えられ（それらの角度に応じて着水面積が変化する。）、波質によって合う角度があると考えられている。
【００１８】
しかるに、本サーフボードの場合は、上述したようにボトム材３が強化材層２と協働し、また、表面強化層９の作用と相俟って、ボード全体の適度に腰のあるフレックス性を確保するために、走行中波質に応じて各ロッカー６〜８のロッカー角度が変化する。従って、本サーフボードは、多種多様の波質に対応し得るものとなる。
【００１９】
また、本サーフボードは、ノーズロッカー６、センターロッカー７及びテールロッカー８を設ける代わりに、あるいは、それらのうちセンターロッカー７に代えてキャンバー（ボードを平地に置いた際に、センター付近が接地しない形状）を設けることとする場合もある。
【００２０】
本サーフボードにはフィンがないが、ボード本体１裏面のボトム材３が、ソール硬度を向上させ、エッジを強化する。その結果、ボード周縁のエッジ４が走行中に波を適度に捕捉し、以て、ボードの進行方向に対する安定性を確保し、方向転換の際の起点となるというフィンの役割を果たすため、一般のフィン付きボードと同等のサーフライディングが可能となる。
【００２１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２２】
１    ボード本体
２    強化材層
３    ボトム材
４    エッジ
５    テール
６    ノーズロッカー
７    センターロッカー
８    テールロッカー
９    表面強化層
【図１】
2011037292.tif 000003
【図２】
2011037292.tif 000004
【図３】
2011037292.tif 000005